(57)【要約】【課題】省エネルギー化が実現できるとともに、照明ユニットのライフを長くすることができる自動調光型のエレベータ用照明装置を提供する。【解決手段】エレベータのかご室内の天井に配置される調光型の照明ユニットと、かご室内の照度を測定する照度測定ユニットと、を備え、照度測定ユニットで得られたかご室内の照度が、予め設定した適正範囲内に入るように、照明ユニットの明るさを変化させる自動調光型のエレベータ用照明装置。【選択図】図４
2013245047.tif 000002
【特許請求の範囲】
【請求項１】
エレベータのかご室内の天井に配置される調光型の照明ユニットと、
かご室内の照度を測定する照度測定ユニットと、を備え、
前記照度測定ユニットで得られたかご室内の照度が、予め設定した適正範囲内に入るように、前記照明ユニットの明るさを変化させる自動調光型のエレベータ用照明装置。
【請求項２】
前記適正範囲は、法定の照度基準に則して決定される請求項１記載の自動調光型のエレベータ用照明装置。
【請求項３】
前記照度測定ユニットは、照度測定用の測定部を周囲から覆う可動カバーを有し、照度測定時には前記測定部を露出させて照度測定を可能とする請求項１又は請求項２記載の自動調光型のエレベータ用照明装置。
【請求項４】
前記照度測定ユニットは、一定時間間隔で照度測定及び調光を行うように制御される請求項１乃至請求項３のいずれか１項に記載の自動調光型のエレベータ用照明装置。
【請求項５】
前記照度測定ユニットは、かご室の無方向待機時に、照度測定及び調光を行うように制御される請求項１乃至請求項３のいずれか１項に記載の自動調光型のエレベータ用照明装置。
【請求項６】
前記照度測定ユニットで測定したかご室の照度が、予め設定した適正照度を上回っている場合には、前記照明ユニットに印加する電流値を下げるように制御する請求項１乃至請求項５のいずれか１項に記載の自動調光型のエレベータ用照明装置。
【請求項７】
前記照度測定ユニットで測定したかご室の照度が、予め設定した適正照度を下回っていて、且つ、前記照明ユニットに印加している電流値が最大許容電流に到達していない場合には、前記照明ユニットに印加する電流値を上げるように制御する請求項１乃至請求項５のいずれか１項に記載の自動調光型のエレベータ用照明装置。
【請求項８】
前記照度測定ユニットで測定したかご室の照度が、予め設定した適正照度を下回っていて、且つ、前記照明ユニットに印加している電流値が最大許容電流に到達している場合には、前記照明ユニットの交換を促すための発報を行う請求項１乃至請求項５のいずれか１項に記載の自動調光型のエレベータ用照明装置。
【請求項９】
一定時間内にかご室内の照度が一定の範囲を超えて変動する場合は、自動調光する機能を停止させる請求項１記載の自動調光型のエレベータ用照明装置。
【発明の詳細な説明】
【技術分野】
【０００１】
本発明の実施形態は、自動調光型のエレベータ用照明装置に関する。
【背景技術】
【０００２】
エレベータのかご室には、かご室内を照明する照明装置が配設され、満たすべき最低限度の照度が法定されている。
【０００３】
エレベータは、設置する物件によりかご室のサイズや側板の種類が多岐にわたるが、照明装置それ自体は、共通化することが便宜である。
【０００４】
異なるかご室に共通の照明装置を設置する場合には、小さいかご室や反射率の高い(明るい)側板を設けたかご室では、必要以上に明るくなる。一方、大きいかご室や反射率の低い(暗い)側板を設けたかご室では、必要照度を満たさなくなる虞がある。
【０００５】
そのため、共通化した照明装置を設置している場合には、かご室内の照度を人為的に調整する必要があった。また、照明装置の経年的な使用に対しては、寿命に至るまでのタイミングのよいメンテナンスは、容易ではなかった。
【先行技術文献】
【特許文献】
【０００６】
【特許文献１】特開２００８−３００１５２号公報
【特許文献２】特開２００２−１７９３４９号公報
【発明の概要】
【発明が解決しようとする課題】
【０００７】
本発明が解決しようとする課題は、省エネルギー化が実現できるとともに、照明ユニットのライフを長くすることができる自動調光型のエレベータ用照明装置を提供することである。
【課題を解決するための手段】
【０００８】
実施形態の自動調光型のエレベータ用照明装置は、エレベータのかご室内の天井に配置される調光型の照明ユニットと、かご室内の照度を測定する照度測定ユニットと、を備え、
前記照度測定ユニットで得られたかご室内の照度が、予め設定した適正範囲内に入るように、前記照明ユニットの明るさを変化させる。
【図面の簡単な説明】
【０００９】
【図１】本実施形態に係るエレベータかご室の概観図である。
【図２】照度測定ユニットの概略構成を示す図である。
【図３】照度測定時に可動カバーが開き、照度測定ユニットが露出する様子を表す図である。
【図４】本実施形態に係るエレベータの自動調光機能を説明するフローチャートである。
【図５】ドアパネルに防犯窓が設けられているかご室の一例を示す図である。
【発明を実施するための形態】
【００１０】
以下、本発明の一実施の形態について、図面を参照して説明する。尚、各図において同一箇所については同一の符号を付すとともに、重複した説明は省略する。
【００１１】
本実施形態に係るエレベータ用照明装置は、照度測定ユニットを備えた明るさを調整する自動調光型の照明装置である。
【００１２】
図１は、本実施形態に係るエレベータ用照明装置が適用されるエレベータのかご室を示す図である。かご室１は、主として、天井２、側板３、床４、リターンパネル５、幕板６、ドアパネル７、かご室内操作盤８、照明ユニット９、照度測定ユニット１０から構成されている。
【００１３】
照明ユニット９は、いずれも図示しない光源と、フレームと、その他の部材から構成され、調光機能を持つ回路を有する。その他の部材には、例えば、反射部材、拡散板、導光板などがある。尚、調光機能は内蔵回路に限られることはなく、照明ユニット９に対して外付けする形態のものでもよい。光源は、省エネルギー化が図りやすいＬＥＤが好適であるが、その限るではない。
【００１４】
フレームは、光源と反射部材とを支持するものである。反射部材は、反射面を有し、入射した可視光線を効率よく下方に反射させるようにする。  
図２は、照度測定ユニット１０の概略構成を示す図である。図２に示すように、照度測定ユニット１０は、フレーム１１、可動カバー１２、測定部１３から構成されている。フレーム１１は、可動カバー１２と測定部１３とを支持するものである。可動カバー１２は、測定部１３を周囲から覆うもので、測定部１３の汚損を防ぐ役割をもっている。測定部１３は、かご室内の照度を測定する部位である。
【００１５】
尚、照度測定方法については、JIS C 7612「照度測定方法」に準拠するのが望ましい。
【００１６】
照度測定ユニット１０で取得された照度情報は、照明ユニット９に送られ、照明ユニット９で調光機能が働く基礎となる。
【００１７】
図３は、照度測定時に照度測定ユニット１０を構成する可動カバー１２が開き、測定部１３が露出する様子を表す。
【００１８】
一般的に、短時間で照度が急変する可能性は極めて少ないから、かご室内において、常時照度を測定している必要はない。例えば、１日に１回、あるいは１週間に１回など、定期的に決められたタイミングで、かご室内の照度の測定及び調光をすることが好適である。
【００１９】
また、深夜などエレベータの利用者が少ない時間の無方向待機時に、照度の測定及び調光をすることとしてもよい。
【００２０】
さらに、かご室内の照度を測定する際に、可動カバー１２を開き、照度測定ユニット１３を露出させるのが好適である。このような構成にすることにより、照度測定ユニット１０の汚損等を防ぐことができる。
【００２１】
図１に示す実施形態では、照度測定ユニット１０は照度を測定しやすいように床４上に設置しており、測定部１３が容易に汚れないように可動カバー１２により保護をする構成としている。しかし、係る構成に限られることはなく、例えば、照度測定ユニット１０をリターンパネル５上、あるいはドアパネル７上に設置しても良い。測定部１３が容易に汚れることがない、あるいは、汚れた場合でも自動的に汚れを取り除くことができれば、可動カバー１２がなくても良い。
【００２２】
次に、以上のように構成された実施形態の作用を以下に示す。
【００２３】
図４は本実施形態に係るエレベータの自動調光機能を説明するフローチャートである。
【００２４】
照度測定ユニット１０によりかご室内の照度を測定し、あらかじめ設定しておいた、照度の適正範囲内に入るかどうかを判定する。
【００２５】
照度測定ユニット１０は、照度測定時以外は可動カバー１２が閉じられており、測定部１３は露出していない。照度測定時には、可動カバー１２が開き、測定部１３が露出し、かご室内の照度を測定する（ステップＳ４１）。
【００２６】
次に、照度測定ユニット１０により測定した照度が、適正照度の範囲内に入っているか否かを判定する（ステップＳ４２）。尚、適正範囲は、例えば、法定の照度基準に則して決定されるものである。
【００２７】
適正照度の範囲内になければ（ステップＳ４２でＮｏ）、適正照度を上回っているか否かを判定する（ステップＳ４３）。
【００２８】
適正照度を上回っていると判定された場合（ステップＳ４３でＹｅｓ）は、かご室１内が過度に明るいと判断し、段階的に電流値を下げ（ステップＳ４４）、ステップＳ４１に戻る。適正照度を上回っていないと判定された場合（ステップＳ４３でＮｏ）は、電流値を測定する（ステップＳ４５）。
【００２９】
次いで、測定した電流値が照明ユニット９の最大許容電流に到達していないかどうかを判定する（ステップＳ４６）。
【００３０】
最大許容電流値に到達していない場合（ステップＳ４６でＹｅｓ）には、電流値を上げる余地があるので電流値を上げ（ステップＳ４７）、その後ステップＳ４１に戻る。
【００３１】
最大許容電流値に到達している場合（ステップＳ４６でＮｏ）には、予め設定された電流値以上の電力を照明ユニット９に印加しても、適正範囲以下の照度しか得られないことになるので、照明ユニット９の寿命が近づいていると判断して発報し、照明ユニット９の交換を促す（ステップＳ４８）。
【００３２】
尚、測定した照度が、適正照度の範囲内に入っている場合（ステップＳ４２でＹｅｓ）には、フローを終了する。
【００３３】
（変形例）
例えば、集合住宅用のエレベ−タのなかには、ドアパネルに防犯窓が設けている例がある。図５は、ドアパネル７に防犯窓１４が設けられているかご室１の一例を示す図である。また、ドアパネル７あるいは側板３に、ガラスのような光線を透過する部材を使用するものもある。
【００３４】
このようなエレベ−タでは、かご室１の昇降時あるいはドアパネル７の開閉時に、短時間でかご室１内の照度が照明ユニット９以外の要因で大きく変化することとなる。
【００３５】
にもかかわらず、自動調光する機能を常時作動させる場合には、かご室内の照明の明るさが短時間で変化することとなり、利用者に不快感を与える可能性がある。
【００３６】
そこで、一定時間内にかご室１内の照度が一定の範囲を超えて変動する場合は、自動調光する機能を停止させることが好適である。
【００３７】
以上説明したように、本実施形態によれば、適正照度の範囲内で且つ照明ユニットの最大許容電流値以下で、かご室内を調光制御するので、省エネルギー化が実現できるとともに、照明ユニットのライフを長くすることができる。また、照明ユニットの寿命が近いと判定される場合には、発報することにより、寿命を迎える直前に交換をすることができる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１・・・エレベータかご室
２・・・天井
３・・・側板
４・・・床
５・・・リターンパネル
６・・・幕板
７・・・ドアパネル
８・・・かご内操作盤
９・・・照明ユニット
１０・・・照度測定ユニット
１１・・・フレーム
１２・・・可動カバー
１３・・・測定部
１４・・・防犯窓
【図１】
2013245047.tif 000003
【図２】
2013245047.tif 000004
【図３】
2013245047.tif 000005
【図４】
2013245047.tif 000006
【図５】
2013245047.tif 000007